(57)【要約】【課題】車椅子に被介護者が座ったまま手の治療を行うことができる超音波治療装置を提供する。【解決手段】超音波治療装置１１の走行用フレーム１２に支持された浴槽１６の上端面１６ａの床面Ｆからの高さＨ１を、車椅子３１の肘掛部３６の床面Ｆからの高さＨ２よりも高く設定する。車椅子３１に被介護者Ｍが座ったまま下腕Ａ２や手Ｔを浴槽１６内に収容し、超音波発生ノズル１９から噴射される水流と気泡により超音波を発生させ、この超音波により下腕Ａ２や手Ｔの治療を容易に行うことができる。【選択図】図１
0003123410.tif 000002
【実用新案登録請求の範囲】
【請求項１】
フレームに装着された浴槽の上端面の床面からの高さ寸法を、車椅子に座ったままの被介護者の手が前記浴槽に収容可能な高さ寸法となるように設定したことを特徴とする超音波治療装置。
【請求項２】
請求項１において、前記浴槽の上端面の床面からの高さ寸法は、車椅子に座ったままの被介護者の上腕と下腕の肘関節の位置と同じかそれよりも高く、かつ被介護者の脇よりも低い位置に設定されていることを特徴とする超音波治療装置。
【請求項３】
請求項１又は２において、前記フレームは走行可能な走行用フレームであることを特徴とする超音波治療装置。
【請求項４】
請求項３において、前記走行用フレームの下部には四箇所に車輪が取り付けられ、前側又は後側の少なくとも二つの車輪は操舵可能に構成されていることを特徴とする超音波治療装置。
【請求項５】
請求項１〜４のいずれか一項において、前記フレーム及び浴槽は前記高さ寸法の変更可能に構成されていることを特徴とする超音波治療装置。
【請求項６】
請求項１〜５のいずれか一項において、前記浴槽は有底四角箱状に形成され、その前側板は前記フレームから前方に迫り出され、かつ上端程前記フレームから前方に離隔するように傾斜板となっていることを特徴とする超音波治療装置。
【請求項７】
請求項６において、前記浴槽は、浴槽本体とその本体の上端外周部に連結された四角環状の取付枠とにより構成され、前記フレームは四本の縦枠と、その縦枠の上端部に架橋された左右一対の上部横枠とを備え、前記取付枠を構成する左右一対の側枠部は前記左右一対の上部横枠の上面に支持されるように構成され、前記上部横枠の上面には、それぞれ支柱が取り付けられ、両支柱の上部には前記取付枠を構成する後側枠部を支持する支持突起が設けられ、前記四本の縦枠のうち前側に位置する二本の縦枠には前記浴槽の傾斜板の下面を支持可能な支持バーを架橋するための係止具が設けられていることを特徴とする超音波治療装置。
【請求項８】
請求項２〜７のいずれか一項において、走行用フレームの縦枠に案内レールを上下方向に指向するように設け、この案内レールに沿って浴槽を手動操作又は電動により段階的に又は無段階に昇降動作させて、浴槽の上端面の高さを変更するように構成したことを特徴とする超音波治療装置。
【考案の詳細な説明】
【技術分野】
【０００１】
本考案は、浴槽を備えた超音波治療装置に関する。
【背景技術】
【０００２】
一般に、この種の超音波治療装置は、浴槽内に収容した水をポンプにより循環させながら超音波発生ノズルから水を空気と共に前記浴槽内に噴射して気泡を発生させるようになっている。そして、手や足が超音波による温熱作用やマイクロマッサージ作用などによって優れた治療効果が得られるようになっている。この超音波治療装置のうち手を治療するタイプのものは、床面の所定位置に配置され、床面に置かれた椅子に腰掛けた人が手を浴槽に入れて使用するようになっている。
【考案の開示】
【考案が解決しようとする課題】
【０００３】
ところが、従来の超音波治療装置においては、前記フレームの形状及び浴槽の高さ寸法や形状が車椅子とは無関係に設計されていたので、床面から浴槽の上端面までの高さ寸法と、車椅子に座った被介護者の下腕及び手の高さとが適合せず、車椅子に座った被介護者が座ったまま下腕及び手の治療に使用することが難しいという問題があった。
【０００４】
本考案は、車椅子に被介護者が座ったまま下腕や手の治療を容易に行うことができる超音波治療装置を提供することにある。
【課題を解決するための手段】
【０００５】
請求項１記載の考案は、フレームに装着された浴槽の上端面の床面からの高さ寸法を、車椅子に座ったままの被介護者の手が前記浴槽に収容可能な高さ寸法となるように設定したことを要旨とする。
【０００６】
請求項２記載の考案は、請求項１において、前記浴槽の上端面の床面からの高さ寸法は、車椅子に座ったままの被介護者の上腕と下腕の肘関節の位置と同じかそれよりも高く、かつ被介護者の脇よりも低い位置に設定されていることを要旨とする。
【０００７】
請求項３記載の考案は、請求項１又は２において、前記フレームは走行可能な走行用フレームであることを要旨とする。
請求項４記載の考案は、請求項３において、前記走行用フレームの下部には四箇所に車輪が取り付けられ、前側又は後側の少なくとも二つの車輪は操舵可能に構成されていることを要旨とする。
【０００８】
請求項５記載の考案は、請求項１〜４のいずれか一項において、前記フレーム及び浴槽は前記高さ寸法の変更可能に構成されていることを要旨とする。
請求項６記載の考案は、請求項１〜５のいずれか一項において、前記浴槽は有底四角箱状に形成され、その前側板は前記フレームから前方に迫り出され、かつ上端程前記フレームから前方に離隔するように傾斜板となっていることを要旨とする。
【０００９】
請求項７記載の考案は、請求項６において、前記浴槽は、浴槽本体とその本体の上端外周部に連結された四角環状の取付枠とにより構成され、前記フレームは四本の縦枠と、その縦枠の上端部に架橋された左右一対の上部横枠とを備え、前記取付枠を構成する左右一対の側枠部は前記左右一対の上部横枠の上面に支持されるように構成され、前記上部横枠の上面には、それぞれ支柱が取り付けられ、両支柱の上部には前記取付枠を構成する後側枠部を支持する支持突起が設けられ、前記四本の縦枠のうち前側に位置する二本の縦枠には前記浴槽の傾斜板の下面を支持可能な支持バーを架橋するための係止具が設けられていることを要旨とする。
【００１０】
請求項８記載の考案は、請求項２〜７のいずれか一項において、走行用フレームの縦枠に案内レールを上下方向に指向するように設け、この案内レールに沿って浴槽を手動操作又は電動により段階的に又は無段階に昇降動作させて、浴槽の上端面の高さを変更するように構成したことを要旨とする。
【考案の効果】
【００１１】
本考案によれば、浴槽の上端面の床面からの高さ寸法が車椅子に座った被介護者がその下腕や手を浴槽に適正に入れることができるように設定されているので、被介護者が車椅子に座ったままその下腕や手の治療を容易に行うことができる。
【考案を実施するための最良の形態】
【００１２】
以下、本考案を具体化した移動式の超音波治療装置の一実施形態を図面にしたがって説明する。
図２及び図３に示すように、移動式の超音波治療装置１１の角パイプを組み合わせて構成された走行用フレーム１２の前端部の左右両側には、ロック機構を有する操舵可能な一対の前輪１３が垂直軸線の回りで旋回可能に取り付けられ、後端部の左右両側には操舵不能な一対の後輪１４が取り付けられている。前記走行用フレーム１２の後端部には、手押し式の操作ハンドル１５が取り付けられている。
【００１３】
前記走行用フレーム１２の上部には浴槽１６が装着されている。この浴槽１６は、図１及び図４に示すように鋼板を板金加工した有底四角箱状の浴槽本体１７と、この浴槽本体１７の上端外周面に溶接により連結した角パイプよりなる平面視、四角環状の取付枠１８とにより構成されている。
【００１４】
図４に示すように、前記走行用フレーム１２は四角形の四隅に位置する四本の縦枠１２ａと、各縦枠１２ａの上端部間に架橋された三本の上部横枠１２ｂと、四本の下部横枠１２ｃとを備えている。前記三本の上部横枠１２ｂのうち左右一対の上部横枠１２ｂの上面には、前記浴槽１６の取付枠１８を構成する左右一対の側枠部１８ａが載置支持されるようになっている。
【００１５】
前記浴槽本体１７の前端部は上端ほど走行用フレーム１２から前方へ迫り出すように、かつ上端程走行用フレーム１２から前方に離隔するように傾斜され、この傾斜板１７ａにより被介護者の手を浴槽１６に出し入れする際に円滑に行えるようにしている。
【００１６】
前記浴槽本体１７の後側板には、超音波発生ノズル１９が貫通支持されている。前記走行用フレーム１２の後側上部には、前記浴槽１６内の水を循環させる循環用ユニット２０が装着されている。この循環用ユニット２０のケース２１内に設けたポンプ２２は、前記浴槽１６から循環用パイプ２３を通して水を汲み上げ、該パイプ２３を通して前記超音波発生ノズル１９に水を供給し、該超音波発生ノズル１９から水と空気を混合して浴槽１６内に噴射させて水中で気泡を発生させるようになっている。前記ポンプ２２は図示しないモータにより作動されるようになっている。なお、前記浴槽１６の底部には、浴槽１６内の水を外部に排出するための栓を有するドレン口２４が設けられている。
【００１７】
次に、図１に基づいて、車椅子３１について説明する。
この車椅子３１のフレーム３２の左右両側部には、車輪３３が取り付けられるとともに、操舵輪（図示略）も取り付けられている。前記フレーム３２の上面には、被介護者の尻部を支持する尻置部３４が水平に取り付けられ、尻置部３４の後端部には、背もたれ部３５が取り付けられている。前記背もたれ部３５の左右両側には、肘掛部３６が装着されている。
【００１８】
図１に示すように、前記超音波治療装置１１の浴槽１６の上端面１６ａの床面Ｆからの高さＨ１寸法は、車椅子３１の肘掛部３６の床面Ｆからの高さＨ２よりも大きく、かつ被介護者Ｍの脇よりも低くなるように設定されている。又、そして、車椅子３１に座った被介護者Ｍの上腕Ａ１と下腕Ａ２との関節Ｋの高さが前記浴槽１６の上端面１６ａの高さＨ１とほぼ同じになるようにしている。
【００１９】
次に、前記浴槽１６の高さを前記高さＨ１よりも高い位置に手動により変更するための構造について説明する。
図４に示すように、前記走行用フレーム１２の三本の上部横枠１２ｂのうち左右両側の一対の上部横枠１２ｂの上面には、角パイプよりなる左右一対の支柱４１が溶接により固定され、両支柱４１の前側面には、前記浴槽１６の取付枠１８の後端の後部枠部１８ｂの左右両端部を支持するための支持突起４２が取り付けられている。前記走行用フレーム１２の縦枠１２ａのうち前側に位置する左右一対の縦枠１２ａの前面には、側面Ｌ字状の左右一対の係止具４３が溶接により固定され、両係止具４３には、支持バー４４の両端部が架橋支持されるようになっている。前記支持バー４４には、前記浴槽１６の浴槽本体１７の傾斜板１７ａの下面を支持する支持板４５が溶接により斜状に固定されている。前記支持バー４４の両端面には鍔板４６が溶接により取り付けられ、係止具４３に支持バー４４が支持された状態で、支持バー４４が水平方向に移動しないようになっている。
【００２０】
図２に示すように前記浴槽１６の上端面１６ａが高さＨ１にある状態から、それよりも高い状態へ切り換えるには、最初に、前記浴槽１６を水平状態のまま走行用フレーム１２の上部横枠１２ｂから持ち上げて、図５に示すように取付枠１８のパイプ１８ｂの後側を前記両支持突起４２に支持させる。この状態で、前記両係止具４３に前記支持バー４４の両端部を係止して支持バー４４を架橋する。この支持バー４４の支持板４５に前記浴槽本体１７の傾斜板１７ａの下面を支持させる。
【００２１】
このようにして、図２に示す高さＨ１に存在していた浴槽１６を、図５に示すように前記高さＨ１よりも高い高さＨ３に変更する。
次に、前記のように構成された移動式超音波治療装置１１の作用について説明する。
【００２２】
最初に、図１に示すように、超音波治療装置１１の浴槽１６の上端面１６ａを高さＨ１に保持した状態で、介護者が操作ハンドル１５を手動操作することにより超音波治療装置１１を車椅子３１に接近させる。この状態では、浴槽１６の上端面１６ａが車椅子３１の肘掛部３６の高さＨ２よりも高い状態となる。この状態で被介護者Ｍの下腕Ａ２及び手Ｔを浴槽１６の内部に収容する。そして、循環用ユニット２０を作動し、超音波発生ノズル１９から水に空気を混合して浴槽１６内の水中に噴射して、超音波を発生させ、下腕Ａ２及び手Ｔを超音波による温熱作用やマイクロマッサージ作用などによって治療する。
【００２３】
なお、下腕Ａ２及び手Ｔの治療は被介護者Ｍの症状に応じて適正な時間行われる。この治療が終了すると、浴槽１６内から被介護者の下腕Ａ２及び手Ｔを引き上げる。次に、介護者は移動式超音波治療装置１１の操作ハンドル１５を図１において、右方向に後退させ、車椅子３１から超音波治療装置１１を引き離す。
【００２４】
以上の作業により被介護者Ｍが車椅子３１に座ったままの姿勢で下腕Ａ２及び手Ｔの治療を行うことができる。
上記実施形態の超音波治療装置によれば、以下のような効果を得ることができる。
【００２５】
（１）上記実施形態では、移動式超音波治療装置１１の浴槽１６の上端面１６ａの床面Ｆからの高さＨ１寸法を、車椅子３１の肘掛部３６の高さＨ２よりも高くし、浴槽１６内に被介護者Ｍの下腕Ａ２及び手Ｔを収容することができるようにした。このため、車椅子３１に被介護者Ｍが正常なシーリング姿勢で座ったまま、浴槽１６の内部に下腕Ａ２及び手Ｔを収容した状態で、超音波発生ノズル１９から噴射される水流と気泡により超音波を発生させ、被介護者の下腕Ａ２及び手Ｔを暖めることができ、これにより身体を暖めることができ、深部体温の上昇を図り、身体の治療を行うことができる。又、水流による下腕Ａ２及び手Ｔのマッサージ効果もあり、手首の捻挫などの治療を行うこともできる。
【００２６】
（２）上記実施形態では、超音波治療装置１１が前輪１３及び後輪１４を有する走行用フレーム１２により移動することができるので、車椅子３１を所定位置に置いたまま、超音波治療装置１１を移動して、超音波治療装置１１を使用状態とすることができる。このため、車椅子３１によって被介護者Ｍを移動する必要がなく、複数の車椅子３１に座った被介護者Ｍの下腕Ａ２や手Ｔの治療を順次迅速に行うことができる。
【００２７】
（３）上記実施形態では、浴槽１６の浴槽本体１７に傾斜板１７ａを設けたので、浴槽１６の内部への手Ｔ及び下腕Ａ２の出し入れを容易に行うことができ、被介護者Ｍへの負担を軽減することができる。又、浴槽１６内に下腕Ａ２及び手Ｔを収容した状態で、傾斜板１７ａに沿って下腕Ａ２及び手Ｔを水平方向に往復動することができ、下腕Ａ２及び手のリハビリを容易に行うこともできる。
【００２８】
（４）上記実施形態では、浴槽１６を高さの変更可能に構成したので、規格の異なる車椅子３１に応じて浴槽１６の高さを適正な高さに容易に変更することができる。
なお、上記実施形態は以下のように変更してもよい。
【００２９】
・図示しないが、走行用フレーム１２の縦枠１２ａに案内レールを設け、この案内レールに沿って浴槽１６を手動操作又は電動により段階的に又は無段階に昇降動作させて、浴槽１６の上端面１６ａの高さを変更するように構成してもよい。
【００３０】
・移動式超音波治療装置１１を非移動式にしてもよい。
・前記前輪１３を操舵不能に、後輪１４を操舵可能にしたり、前輪及び後輪１３，１４を共に操舵可能にしたりしてもよい。
【００３１】
・前記浴槽１６の上端面１６ａの床面Ｆからの高さＨ１寸法を、車椅子３１に座ったままの被介護者Ｍの上腕Ａ１と下腕Ａ２の肘関節Ｋの位置よりも高い位置に設定してもよい。
【図面の簡単な説明】
【００３２】
【図１】この考案を移動式の超音波治療装置に具体化した一実施形態を示す使用状態の右側断面図。
【図２】移動式超音波治療装置の右側面図。
【図３】超音波治療装置の平面図。
【図４】走行用フレーム、浴槽及び支持バーの分離状態を示す斜視図。
【図５】浴槽の高さを変更した状態の超音波治療装置の右側面図。
【符号の説明】
【００３３】
Ｆ…床面、Ｋ…肘関節、Ｍ…被介護者、Ｔ…手、Ａ１…上腕、Ａ２…下腕、Ｈ１…浴槽１６の上端面１６ａの床面Ｆからの高さ、Ｈ２…車椅子３１の肘掛部３６の床面Ｆからの高さ、１２…走行用フレーム、１２ａ…縦枠、１２ｂ…上部横枠、１６…浴槽、１６ａ…上端面、１７…浴槽本体、１７ａ…傾斜板、１８…取付枠、１８ａ…側枠部、３１…車椅子、３２…フレーム、３３…車輪、４１…支柱、４２…支持突起、４３…係止具、４４…支持バー。
【図１】
0003123410.tif 000003
【図２】
0003123410.tif 000004
【図３】
0003123410.tif 000005
【図４】
0003123410.tif 000006
【図５】
0003123410.tif 000007